【手続補正書】
【提出日】平成22年9月9日(2010.9.9)
【手続補正１】
【補正対象書類名】特許請求の範囲
【補正対象項目名】全文
【補正方法】変更
【補正の内容】
【特許請求の範囲】
【請求項１】
撮像を行って得られた画像の画像信号を処理する画像処理装置であって、
前記画像から白画素の検出を行うことにより第１のホワイトバランス補正値を算出する第１の算出手段と、
前記画像から顔領域を検出する顔検出手段と、
前記顔検出手段により検出された顔領域の画像信号を前記第１のホワイトバランス補正値に基づきホワイトバランス補正した場合に、補正された顔領域の画像信号が、肌色を表す第１の色信号領域の周辺の第２の色信号領域にあるか否かを判定する判定手段と、
前記判定手段により前記第２の色信号領域にあると判定された場合、前記補正された顔領域の画像信号と前記第１の色信号領域との関係に基づき、前記補正された顔領域の画像信号が前記第１の色信号領域の方向に移動するように前記画像の画像信号を補正する第２のホワイトバランス補正値を算出する第２の算出手段と
を有することを特徴とする画像処理装置。
【請求項２】
前記画像のホワイトバランス補正を行うホワイトバランス補正手段をさらに有し、
前記判定手段により前記第２の色信号領域にあると判定された場合、前記ホワイトバランス補正手段は前記第２のホワイトバランス補正値を用いてホワイトバランス補正を行い、前記判定手段により前記第２の色信号領域にないと判定された場合、前記ホワイトバランス補正手段は前記第１のホワイトバランス補正値を用いてホワイトバランス補正を行うことを特徴とする請求項１に記載の画像処理装置。
【請求項３】
前記第２の算出手段は、前記補正後の顔領域の画像信号が前記第１の色信号領域内に入るように、前記第２のホワイトバランス補正値を算出することを特徴とする請求項１に記載の画像処理装置。
【請求項４】
前記第１の算出手段は前記画像の白画素を所定のブロック単位で検出し、前記判定手段は前記所定のブロック単位で検出された顔領域の画像信号について、前記判定を実行することを特徴とする請求項１に記載の画像処理装置。
【請求項５】
撮像を行って得られた画像の画像信号を処理する画像処理装置であって、
前記画像信号にホワイトバランス補正を行うホワイトバランス補正手段と、
前記画像から顔領域を検出する顔検出手段と、
前記画像を複数画素ずつ分割したブロックの内、白色を表す色信号領域内にあるブロックの画像信号に基づいて、前記ホワイトバランス補正に用いる第１のホワイトバランス補正値を算出する第１の算出手段と、
前記顔検出手段により顔領域が検出された場合に、該顔領域に含まれるブロックの画像信号を前記第１のホワイトバランス補正値によりホワイトバランス補正した補正画像信号の内、肌色を表す第１の色信号領域内及び該第１の色信号領域の周辺領域である第２の色信号領域内にある補正画像信号を加算し、該加算して得られた合計画像信号が前記第２の色信号領域内にある場合に、前記合計画像信号が前記第１の色信号領域内に入るように前記画像信号を補正する、第２のホワイトバランス補正値を算出する第２の算出手段とを有し、
前記ホワイトバランス補正手段は、前記第２のホワイトバランス補正値が算出された場合に、前記第２のホワイトバランス補正値を用いてホワイトバランス補正を行い、前記第２のホワイトバランス補正値が算出されなかった場合に、前記第１のホワイトバランス補正値を用いてホワイトバランス補正を行うことを特徴とする画像処理装置。
【請求項６】
前記第２の算出手段は、前記第１及び第２の色信号領域の何れにも含まれない補正画像信号を更に加算すると共に、前記第１の色信号領域に含まれる補正画像信号と、前記第２の色信号領域に含まれる補正画像信号と、前記第１及び第２の色信号領域の何れにも含まれない補正画像信号にそれぞれ重み付けをして加算し、
前記第１及び第２の色信号領域の何れにも含まれない補正画像信号の重みは、前記第１及び第２の色信号領域に含まれる補正画像信号の重みよりも低いことを特徴とする請求項５の画像処理装置。
【請求項７】
前記第１及び第２の算出手段は、前記顔検出手段により処理される画像より後に撮像して得られた画像の画像信号を用いて、前記第１及び第２のホワイトバランス補正値を算出する処理を行うことを特徴とする請求項５または６に記載の画像処理装置。
【請求項８】
撮像して得られた画像の画像信号を出力する撮像手段と、
請求項１乃至７のいずれか１項に記載の画像処理装置と
を備えたことを特徴とする撮像装置。
【請求項９】
撮像を行って得られた画像の画像信号を処理する画像処理方法であって、
第１の算出手段が、前記画像から白画素の検出を行うことにより第１のホワイトバランス補正値を算出する第１の算出工程と、
顔検出手段が、前記画像から顔領域を検出する顔検出工程と、
判定手段が、前記顔検出工程により検出された顔領域の画像信号を前記第１のホワイトバランス補正値に基づきホワイトバランス補正した場合に、補正された顔領域の画像信号が肌色を表す第１の色信号領域の周辺の第２の色信号領域にあるか否かを判定する判定工程と、
第２の算出手段が、前記判定工程により前記第２の色信号領域にあると判定された場合、前記補正された顔領域の画像信号と前記第１の色信号領域との関係に基づき、前記補正された顔領域の画像信号が前記第１の色信号領域の方向に移動するように前記画像の画像信号を補正する第２のホワイトバランス補正値を算出する第２の算出工程と
を有することを特徴とする画像処理方法。
【請求項１０】
撮像を行って得られた画像の画像信号を処理する画像処理方法であって、
顔検出手段が、前記画像から顔領域を検出する顔検出工程と、
第１の算出手段が、前記画像を複数画素ずつに分割したブロックの内、白色を表す色信号領域内にあるブロックの画像信号に基づいて、前記ホワイトバランス補正に用いる第１のホワイトバランス補正値を算出する第１の算出工程と、
第２の算出手段が、前記顔検出工程で顔領域が検出された場合に、該顔領域に含まれるブロックの画像信号を前記第１のホワイトバランス補正値によりホワイトバランス補正した補正画像信号の内、肌色を表す第１の色信号領域内及び該第１の色信号領域の周辺領域である第２の色信号領域内にある補正画像信号を加算し、該加算して得られた合計画像信号が前記第２の色信号領域内にある場合に、前記合計画像信号が前記第１の色信号領域内に入るように前記画像信号を補正する、第２のホワイトバランス補正値を算出する第２の算出工程と、
ホワイトバランス補正手段が、前記画像信号に前記第１または第２のホワイトバランス補正値を用いてホワイトバランス補正を行うホワイトバランス補正工程とを有し、
前記ホワイトバランス補正工程では、前記第２のホワイトバランス補正値が算出された場合に、前記第２のホワイトバランス補正値を用いてホワイトバランス補正を行い、前記第２のホワイトバランス補正値が算出されなかった場合に、前記第１のホワイトバランス補正値を用いてホワイトバランス補正を行うことを特徴とする画像処理方法。
【請求項１１】
コンピュータに、請求項９又は１０に記載の画像処理方法の各工程を実行させるためのプログラム。
【請求項１２】
請求項１１に記載のプログラムを格納したコンピュータが読み取り可能な記憶媒体。
【手続補正２】
【補正対象書類名】明細書
【補正対象項目名】００１２
【補正方法】変更
【補正の内容】
【００１２】
本発明は上記問題点を鑑みてなされたものであり、撮像を行って得られた画像の画像信号を処理する本発明の画像処理装置は、前記画像から白画素の検出を行うことにより第１のホワイトバランス補正値を算出する第１の算出手段と、前記画像から顔領域を検出する顔検出手段と、前記顔検出手段により検出された顔領域の画像信号を前記第１のホワイトバランス補正値に基づきホワイトバランス補正した場合に、補正された顔領域の画像信号が、肌色を表す第１の色信号領域の周辺の第２の色信号領域にあるか否かを判定する判定手段と、前記判定手段により前記第２の色信号領域にあると判定された場合、前記補正された顔領域の画像信号と前記第１の色信号領域との関係に基づき、前記補正された顔領域の画像信号が前記第１の色信号領域の方向に移動するように前記画像の画像信号を補正する第２のホワイトバランス補正値を算出する第２の算出手段とを有する。
また、撮像を行って得られた画像の画像信号を処理する本発明の画像処理方法は、第１の算出手段が、前記画像から白画素の検出を行うことにより第１のホワイトバランス補正値を算出する第１の算出工程と、顔検出手段が、前記画像から顔領域を検出する顔検出工程と、判定手段が、前記顔検出工程により検出された顔領域の画像信号を前記第１のホワイトバランス補正値に基づきホワイトバランス補正した場合に、補正された顔領域の画像信号が肌色を表す第１の色信号領域の周辺の第２の色信号領域にあるか否かを判定する判定工程と、第２の算出手段が、前記判定工程により前記第２の色信号領域にあると判定された場合、前記補正された顔領域の画像信号と前記第１の色信号領域との関係に基づき、前記補正された顔領域の画像信号が前記第１の色信号領域の方向に移動するように前記画像の画像信号を補正する第２のホワイトバランス補正値を算出する第２の算出工程とを有する。
また、別の構成によれば、撮像を行って得られた画像の画像信号を処理する本発明の画像処理装置は、前記画像信号にホワイトバランス補正を行うホワイトバランス補正手段と、前記画像から顔領域を検出する顔検出手段と、前記画像を複数画素ずつ分割したブロックの内、白色を表す色信号領域内にあるブロックの画像信号に基づいて、前記ホワイトバランス補正に用いる第１のホワイトバランス補正値を算出する第１の算出手段と、前記顔検出手段により顔領域が検出された場合に、該顔領域に含まれるブロックの画像信号を前記第１のホワイトバランス補正値によりホワイトバランス補正した補正画像信号の内、肌色を表す第１の色信号領域内及び該第１の色信号領域の周辺領域である第２の色信号領域内にある補正画像信号を抽出して加算し、該加算して得られた合計画像信号が前記第２の色信号領域内にある場合に、前記合計画像信号が前記第１の色信号領域内に入るように前記画像信号を補正する、第２のホワイトバランス補正値を算出する第２の算出手段とを有し、前記ホワイトバランス補正手段は、前記第２のホワイトバランス補正値が算出された場合に、前記第２のホワイトバランス補正値を用いてホワイトバランス補正を行い、前記第２のホワイトバランス補正値が算出されなかった場合に、前記第１のホワイトバランス補正値を用いてホワイトバランス補正を行う。
【手続補正３】
【補正対象書類名】明細書
【補正対象項目名】００１４
【補正方法】変更
【補正の内容】
【００１４】
また、撮像を行って得られた画像の画像信号を処理する本発明の別の画像処理方法は、顔検出手段が、前記画像から顔領域を検出する顔検出工程と、第１の算出手段が、前記画像を複数画素ずつに分割したブロックの内、白色を表す色信号領域内にあるブロックの画像信号に基づいて、前記ホワイトバランス補正に用いる第１のホワイトバランス補正値を算出する第１の算出工程と、第２の算出手段が、前記顔検出工程で顔領域が検出された場合に、該顔領域に含まれるブロックの画像信号を前記第１のホワイトバランス補正値によりホワイトバランス補正した補正画像信号の内、肌色を表す第１の色信号領域内及び該第１の色信号領域の周辺領域である第２の色信号領域内にある補正画像信号を加算し、該加算して得られた合計画像信号が前記第２の色信号領域内にある場合に、前記合計画像信号が前記第１の色信号領域内に入るように前記画像信号を補正する、第２のホワイトバランス補正値を算出する第２の算出工程と、ホワイトバランス補正手段が、前記画像信号に前記第１または第２のホワイトバランス補正値を用いてホワイトバランス補正を行うホワイトバランス補正工程とを有し、前記ホワイトバランス補正工程では、前記第２のホワイトバランス補正値が算出された場合に、前記第２のホワイトバランス補正値を用いてホワイトバランス補正を行い、前記第２のホワイトバランス補正値が算出されなかった場合に、前記第１のホワイトバランス補正値を用いてホワイトバランス補正を行う。